(57)【要約】【課題】維持管理に費用や手間がかからず、建物の屋上の防水と冷却が可能な防水および冷却構造を提供することを目的とする。【解決手段】本考案の防水および冷却構造１は、建物の屋上Ｒに設置される複数の保水性ブロック２から構成され、保水性ブロック２が、予めセメント材に膨潤させた粒状の吸水性高分子２１を混入し、乾燥させることにより形成された多孔質コンクリートブロックであることを特徴とする。【選択図】図１
0003189057.tif 000002
【実用新案登録請求の範囲】
【請求項１】
建物の屋上の防水および冷却構造であって、
前記防水および冷却構造が、建物の屋上に設置される複数の保水性ブロックから構成され、
前記保水性ブロックが、予めセメント材に膨潤させた粒状の吸水性高分子を混入し、乾燥させることにより形成された多孔質コンクリートブロックであることを特徴とする防水および冷却構造。
【請求項２】
前記複数の保水性ブロックと、前記建物の屋上との間に防水シートが設けられてなる請求項１記載の防水および冷却構造。
【請求項３】
前記保水性ブロックが、略矩形状の平板状に形成され、複数の略矩形状の保水性ブロックを並べることにより、前記建物の屋上の全面または一部を覆うことを特徴とする請求項１または２記載の防水および冷却構造。
【考案の詳細な説明】
【技術分野】
【０００１】
本考案は、防水および冷却構造に関する。さらに詳しくは、建物の屋上の防水と冷却が可能な防水および冷却構造に関する。
【背景技術】
【０００２】
コンクリート構造物など、建物の屋上において、夏季の日射により屋上の表面温度が非常に上昇するとともに屋上表面に蓄熱される。このような夏季の日射は、都市部などではヒートアイランド現象を引き起こす要因のひとつとなっている。さらに、屋上からの熱は、建物内部の温度も上昇させるため、冷房などの電力消費の増大が問題となっている。このような屋上での熱吸収によって階下の空間が高温になる状態を解決する方法として、屋上緑化などが提案されている。
【考案の概要】
【考案が解決しようとする課題】
【０００３】
しかしながら、屋上緑化を導入する場合、緑化に必要な土壌やその土壌を支える構造物が必要となるうえ、植物の手入れや掃除などもする必要があり、多大な手間と費用がかかってしまう。
【０００４】
本発明は、かかる問題点に鑑みて、維持管理に費用や手間がかからず、建物の屋上の防水と冷却が可能な防水および冷却構造を提供することを目的とする。
【課題を解決するための手段】
【０００５】
本発明の防水および冷却構造は、建物の屋上の防水および冷却構造であって、前記防水および冷却構造が、建物の屋上に設置される複数の保水性ブロックから構成され、前記保水性ブロックが、予めセメント材に膨潤させた粒状の吸水性高分子を混入し、乾燥させることにより形成された多孔質コンクリートブロックであることを特徴とする。
【０００６】
また、前記複数の保水性ブロックと、前記建物の屋上との間に防水シートが設けられてなることが好ましい。
【０００７】
また、前記保水性ブロックが、略矩形状の平板状に形成され、複数の略矩形状の保水性ブロックを並べることにより、前記建物の屋上の全面または一部を覆うことが好ましい。
【考案の効果】
【０００８】
本考案の防水および冷却構造によれば、降雨時などは、保水性ブロックが雨水を吸収して、所定量の水分を保持するため、コンクリート構造物の屋上などを水分から保護して、建物の劣化・老朽化の進行を遅らせることができる。さらに、夏場などは、雨水または人為的な放水によって、保水性ブロックに水分を保持させることにより、日射による保水性ブロック内の水分が蒸発して、熱を奪うため、建物の屋上の表面温度を下げ、冷却効果を得ることができる。
【０００９】
また、本考案の防水および冷却構造は、複数の保水性ブロックを屋上に持ち込んで、並べるだけで施工が完了するため、施工が非常に楽であり、工期も非常に短い。さらに、大型の機械設備や、道具を屋上に持ち運ぶ必要もないため、どのような建物でも容易に導入することが可能であるとともに、低コストでの施工が可能である。
【図面の簡単な説明】
【００１０】
【図１】本考案の防水および冷却構造の一実施形態を示す断面図である。
【図２】本考案の防水および冷却構造に用いられる保水性ブロックの気孔を形成するための製造過程を示す図である。
【図３】本考案の防水および冷却構造に用いられる気孔が形成された保水性ブロックの水分を保持する前の状態を示す断面図である。
【図４】本考案の防水および冷却構造を建物の屋上に設置した状態を示す上面図である。
【考案を実施するための形態】
【００１１】
以下、添付図面を参照して、本考案の防水および冷却構造を詳細に説明する。
【００１２】
図１に示されるように、本考案の防水および冷却構造１は、建物の屋上Ｒに適用される。建物の種類は特に限定されることはなく、任意の構造の建物に適用が可能である。なお、以下に説明する実施形態では、建物の屋上Ｒは、ビルなど、コンクリート構造物の屋根スラブに適用した例として説明する。
【００１３】
図１に示されるように、防水および冷却構造１は、建物の屋上Ｒに設置される複数の保水性ブロック２から構成されている。本考案の保水性ブロック２は、予めセメント材に膨潤させた粒状の吸水性高分子２１を混入し、乾燥させることにより形成された多孔質コンクリートブロックを用いている。この保水性ブロック２は、セメントスラリー中で、吸水性高分子２１に水分を吸収させて膨潤させ、均一に分散させた後、たとえば２５〜３０℃で、２４〜４８時間養生を行い、セメントの水和反応を進行させ、その後１５０〜２５０℃で１５〜２４時間養生を行うことにより製造することができる。
【００１４】
この養生中の高温により、図２のように膨潤した状態から、吸水性高分子２１中の水分が蒸発するとともに、吸水性高分子２１が縮小し、コンクリートブロック内部に膨潤時の吸水性高分子２１の大きさの気孔２２が形成され、内部に多数の気孔２２を有する多孔質コンクリートブロックとなる（図３参照）。なお、上記製造方法は、あくまで一例であり、吸水性高分子２１を膨潤させた状態で混入してコンクリート平板を打設し、乾燥させることにより、多数の気孔２２が形成されるものであれば、公知の他の製造方法により製造したものであっても構わない。
【００１５】
なお、保水性ブロック２の製造時に混入される吸水性高分子２１は、自重の数百倍から数千倍までの水を吸収し、保持できるものであれば、特に限定されないが、たとえば、デンプン−アクリル酸系、合成繊維−アクリル酸系、カルボキシルメチルセルロース系、ポリアクリル酸ナトリウム系等の高吸水性高分子を用いることができる。１つの保水性ブロック２に対する気孔率は、含有される吸水性高分子２１の種類や量に応じて変化するが、保水性ブロック２の強度と、吸水可能な水分の量の観点から、たとえば、２０〜４０％であることが好ましく、より好ましくは２５〜３０％である。なお、気孔率は特にこれらの数値範囲に限定されるものではなく、混和材料を用いることにより、より気孔率を高くすることも可能である。
【００１６】
このような多孔質で、かつ吸水性高分子２１を気孔２２内に有する保水性ブロック２を、図４に示すように、建物の屋上Ｒに複数並べて使用する。保水性ブロック２の形状は、図４に示す例では、略矩形状の平板状のものを用いているが、複数の保水性ブロック２を隙間なく並べることができる形状であれば特に限定されるものではない。たとえば、図４に示すような正方形状のもの以外に、長方形状のもの、六角形状のもの、三角形状のものの他、２つの保水性ブロックを並べたときに略矩形状になるもので、接合面が湾曲しているものなどであってもよい。
【００１７】
また、保水性ブロック２は、建物の屋上Ｒに、同形状のものを複数敷き詰めるようにすることが好ましいが、異なる大きさ、異なる形状のものを組み合わせても構わない。たとえば、略矩形状の保水性ブロック２と、その略矩形状の保水性ブロック２の対角線上に切断した三角形状の保水性ブロック（図示せず）を組み合わせることもできる。なお、保水性ブロック２は、図４に示されるように、建物の屋上Ｒの全面を覆うように構成してもよいし、建物の屋上Ｒの一部のみを覆うようにしても構わない。
【００１８】
複数の保水性ブロック２は、建物の屋上Ｒにおいて、互いに隣接して並べられて配置されるが、隣接する保水性ブロック２同士は、防水シートの改修など、メンテナンスの観点から、単に隙間なく敷き並べることが好ましいが、互いに接着剤などで接合してもよい。また、保水性ブロック２と、建物の屋上Ｒの表面との間には、図１に示されるように、防水シート３を設けることが好ましい。これにより、保水性ブロック２と保水性ブロック２との間や、保水性ブロック２を通過して屋上Ｒの表面側に透過した水分から、屋上Ｒの表面を保護することができる。防水シート３としては、屋上に用いられる公知の防水シートを用いることができ、たとえば、塩化ビニル樹脂系や加硫ゴム系のシートを用いることができる。
【００１９】
本考案の防水および冷却構造１によれば、図１および図４に示されるように、建物の屋上Ｒ上に、複数の保水性ブロック２が並べられて設けられる。この防水および冷却構造１では、降雨時には、防水シート３上の保水性ブロック２により、雨水を吸収して保持することができる。したがって、ある程度の降雨であれば、防水シート３が無くても保水性ブロック２により雨水が保水性ブロック２の気孔２２内の吸水性高分子２１に吸収され、雨水が屋上Ｒの表面側に移動するのを防ぐことができる。したがって、防水シート３が経年劣化して破れてしまった場合であっても、屋上Ｒの表面に雨水が直接流れ込むことを防止することができ、建物の屋上Ｒのコンクリートの劣化を抑制することができる。
【００２０】
また、降雨後や、人工的に散水（散水ノズルや人手による散水）した後に、保水性ブロック２の吸水性高分子２１が水を保持する。その後日射により徐々に水分が蒸発することにより、気化熱により屋根Ｒの表面温度が低下する。したがって、夏場の暑い日などに屋根Ｒ側から屋根Ｒの下にある最上階の室内を快適な環境に保つことができる。特に、本考案では、降雨後や、散水した後に、水がすぐに排水されたり蒸発したりすることがなく、吸水性高分子２１に水分が一旦保持されるため、一時的な雨の後、しばらく時間が経過した後であっても、吸水性高分子２１に水分を保持し続けることができる。したがって、雨が降った後、たとえば１時間経過した後に日が射した場合などであっても、その間吸水性高分子２１が水分を保持し続けて、その後蒸発する。ゆえに、雨が降った直後に日が射さなくても、しばらく時間が経過した後に、気化熱による打ち水効果を得ることができる。また、日が射すタイミングで散水したりする必要もないので、曇っているときに散水して、しばらく時間が経過した後に、気化熱による打ち水効果を得ることができる。
【００２１】
また、本考案の防水および冷却構造１は、複数の保水性ブロック２を屋上Ｒに持ち込んで、並べるだけで施工が完了するため、施工が非常に楽であり、工期も非常に短い。さらに、大型の機械設備や、道具を屋上に持ち運ぶ必要もないため、どのような建物でも容易に導入することが可能であるとともに、低コストでの施工が可能である。さらに、保水性ブロック２を並べて施工が完了すると、日常的なメンテナンスは不要であるため、維持管理が非常に楽である。
【００２２】
なお、本実施形態では、複数の保水性ブロック２を屋上Ｒに単に並べたものを例として説明したが、複数の保水性ブロック２に散水する複数の散水ノズル（図示せず）を設けても構わない。
【符号の説明】
【００２３】
１  防水および冷却構造
２  保水性ブロック
２１  吸水性高分子
２２  気孔
３  防水シート
Ｒ  屋上
【図１】
0003189057.tif 000003
【図２】
0003189057.tif 000004
【図３】
0003189057.tif 000005
【図４】
0003189057.tif 000006